(57)【要約】【課題】少人数の作業者により短い作業時間での洗浄ができ、洗浄後に生ずる汚水を回収して、前記洗浄に利用可能な洗浄装置を、安価に提供する。【解決手段】洗浄水を貯水するタンク部と、当該タンク部から洗浄水を吸引して噴射口から前記洗浄水を高圧噴射する送水部と、前記噴射口から壁面に向けて噴射されて生じた汚水を回収する受水部と、当該受水部に設けられて前記汚水から不純物を分離する濾過部と、当該濾過部によって不純物を分離した汚水を吸引し前記タンク部内へ投入する揚水部とを有し、前記噴射口は、前記受水部の上側に前後方向に向けて摺動自在に設けた台座部に対し、前記壁面に向けて放射状に設置したことを特徴とするトンネル内壁面の洗浄装置である。【選択図】図１
2005334853.tif 000002
【特許請求の範囲】
【請求項１】
洗浄水を噴射することにより壁面の洗浄を行うトンネル内壁面の洗浄装置であって、
洗浄水を貯水するタンク部と、当該タンク部から洗浄水を吸引して噴射口から前記洗浄水を高圧噴射する送水部と、前記噴射口から壁面に向けて噴射されて生じた汚水を回収する受水部と、当該受水部に設けられて前記汚水から不純物を分離する濾過部と、当該濾過部によって不純物を分離した汚水を吸引し前記タンク部内へ投入する揚水部とを有し、
前記噴射口は、前記受水部の上側に前後方向に向けて摺動自在に設けた台座部に対し、前記壁面に向けて放射状に設置したことを特徴とするトンネル内壁面の洗浄装置。
【請求項２】
請求項１に記載したトンネル内壁面の洗浄装置において、
前記タンク部は複数の貯水タンクからなり、１の貯水タンクを除く他の貯水タンクには洗浄水を充填し、
当該他の貯水タンクから洗浄水を送水部へと供給すると共に、受水部に溜まった汚水を前記１の貯水タンク内へと投入して、前記他の貯水タンク内の洗浄水が消尽した後には、前記１の貯水タンク内に投入された汚水を送水部へと供給することを特徴とするトンネル内壁面の洗浄装置。
【請求項３】
請求項１又は請求項２に記載したトンネル内壁面の洗浄装置において、
前記受水部の側部には、トンネル側壁に対する密着及び解除を可能とするジャッキ部を設けると共に、当該ジャッキ部の上方には汚水を前記受水部内へと流入させるシートを設けたことを特徴とするトンネル内壁面の洗浄装置。
【請求項４】
請求項１乃至請求項３の何れかに記載したトンネル内壁面の洗浄装置において、
前記噴射口は、台座部に対して進退自在に設けたことを特徴とするトンネル内壁面の洗浄装置。
【請求項５】
請求項１乃至請求項４の何れかに記載したトンネル内壁面の洗浄装置において、
前記受水部は、揚水部の位置に向けて低くなる勾配を形成したことを特徴とするトンネル内壁面の洗浄装置。
【請求項６】
請求項１乃至請求項５の何れかに記載したトンネル内壁面の洗浄装置において、
前記受水部は、中央に対して両側端部が低くなる勾配を形成したことを特徴とするトンエル内壁面の洗浄装置。
【請求項７】
請求項１乃至請求項５の何れかに記載したトンネルの内壁面の洗浄装置において、
前記受水部は、両端部のうち、一方の端部が低くなる勾配を形成したことを特徴とするトンネル内壁面の洗浄装置。
【請求項８】
請求項１乃至請求項７の何れかに記載したトンネル内壁面の洗浄装置において、
前記濾過部は複数の濾材を相互に積層して成ることを特徴とするトンネル内壁面の洗浄装置。
【発明の詳細な説明】
【技術分野】
【０００１】
本発明は、トンネルの内壁面に付着した煤や汚れを除去するトンネル洗浄装置に関し、特に、トンネル内壁面に対して高圧洗浄水を噴射すると共に、当該洗浄水を回収して前記洗浄への再利用を可能とするトンネル洗浄装置に関するものである。
【背景技術】
【０００２】
高速道路や一般道路のトンネルを実際の使用に供した場合には、該トンネルの内壁面（天井面及び壁面）に対して排気ガスや塵埃等に由来する汚れが付着する。斯様な汚れが除去されずに当該トンネルを更に長期間に亘って使用され続けた場合には、前記汚れが幾層にも堆積することとなる。
【０００３】
トンネル内壁面を構成するコンクリートの地色は、元々、白色に近い灰色であるが、前記汚れが堆積することによって内壁の表面が著しく黒ずんでしまう。当該壁面が黒ずむことによって該壁面の色彩の明度が低くなることから、当該トンネル内に設置された照明器具から発せられる光は、前記壁面に反射することなく吸収されてしまう。
【０００４】
斯様なトンネルを、実際に自動車等にて走行してみると、当該トンネル内が著しく暗く感じられるのみならず、運転者が側方の壁面との距離感の把握が困難な状況となり、路肩への乗り上げや、或いは、壁面との接触等の事故が発生する危険性も否定できない。
【０００５】
斯様な問題の所在に鑑みて、トンネル壁面に付着した汚れを除去する必要性から、各種の洗浄手法が案出されていた。具体的には、最も簡易な方法として、トンネル内に「ヤグラ」（足場）を組むとともに其処へ「サンダー」（切削機）を持った作業者を配備し、トンネル長手方向へ少しずつ進みながら、当該作業者がトンネル内壁面に対し前記サンダーを押し当てて、当該内壁の表面を「汚れ」と共に削り取るということが、従来より行われていた。かかる手法では、「汚れ」と共にコンクリートを削るため、当該作業中においては、トンネル内にサンダーの作動音と共に切削に伴って発生する騒音がトンネル内に反響するのは勿論のこと、当該トンネル内に大量の粉塵が浮遊するため、作業者は非常に過酷な状況下での労働を強いられることとなっていた。尚、上記切削作業を自動化する装置も案出されてはいるが、導入コストが多大であるため、実質的には上記「過酷な作業環境」の問題解決には至っていない。
【０００６】
かかる問題を解決するものとして、トンネル壁面に洗浄水を吹き付けて洗浄する手法も案出されている。しかし斯様な手法において洗浄を行った後に発生する「汚水」を回収しない場合には、路肩に設けられた側溝を通してトンネル外へと流出し、河川や土壌或いは地下水を汚染して、重大な問題を引き起こすこととなる。
【０００７】
上記「汚水流出」の問題解決を図るべく案出されたのが、特許文献１に記載された技術である。この特許文献１に記載の技術はトンネル壁面清掃車両に関するものであって、当該清掃車両に設けた「エアーバック」により形成された「排液通路」の内側に洗浄液を集め、其れを流すことによって汚水の回収を行っていた。かかる構成によれば、洗浄水を供給するホースの直下に「受皿」としての排液通路を設置しているので、効率よく汚水の回収を行うことが可能となる。
【０００８】
ところが、上記特許文献１に記載の技術にあっては、当該清掃車両がトンネルの長手方向（トンネルの縦断歩行）に向けて自走しながら洗浄を行うものであるから、洗浄時においては前記エアーバックとトンネル壁面とが相互に擦れ合い、前記排液通路に負担が集中し、当該排液通路が変形して、確実な汚水の回収が困難となる虞があった。
【特許文献１】実開平０１−１４７１００号公報
【発明の開示】
【発明が解決しようとする課題】
【０００９】
以上の問題点に鑑み、本発明の課題は、少人数の作業者により短い作業時間での洗浄ができ、洗浄後に生ずる汚水を回収して、前記洗浄に再度利用可能な洗浄装置を、安価に提供することにある。
【課題を解決するための手段】
【００１０】
上記課題を解決すべく本発明が採った手段は以下の通りである。
【００１１】
まず、請求項１に係る発明は、洗浄水を噴射することにより壁面の洗浄を行うトンネル内壁面の洗浄装置であって、洗浄水を貯水するタンク部と、当該タンク部から洗浄水を吸引して噴射口から前記洗浄水を高圧噴射する送水部と、前記噴射口から壁面に向けて噴射されて生じた汚水を回収する受水部と、当該受水部に設けられて前記汚水から不純物を分離する濾過部と、当該濾過部によって不純物を分離した汚水を吸引し前記タンク部内へ投入する揚水部とを有し、前記噴射口は、前記受水部の上側に前後方向に向けて摺動自在に設けた台座部に対し、前記壁面に向けて放射状に設置したことを特徴とするトンネル内壁面の洗浄装置である。
【００１２】
次に、請求項２に係る発明は、請求項１に記載したトンネル内壁面の洗浄装置において、前記タンク部は複数の貯水タンクからなり、１の貯水タンクを除く他の貯水タンクには洗浄水を充填し、当該他の貯水タンクから洗浄水を送水部へと供給すると共に、受水部に溜まった汚水を前記１の貯水タンク内へと投入して、前記他の貯水タンク内の洗浄水が消尽した後には、前記１の貯水タンク内に投入された汚水を送水部へと供給することを特徴とするトンネル内壁面の洗浄装置である。
【００１３】
また、請求項３に係る発明は、請求項１又は請求項２に記載したトンネル内壁面の洗浄装置において、前記受水部の側部には、トンネル側壁に対する密着及び解除を可能とするジャッキ部を設けると共に、当該ジャッキ部の上方には汚水を前記受水部内へと流入させるシートを設けたことを特徴とするトンネル内壁面の洗浄装置である。
【００１４】
さらに、請求項４に係る発明は、請求項１乃至請求項３の何れかに記載したトンネル内壁面の洗浄装置において、前記噴射口は、台座部に対して進退自在に設けたことを特徴とするトンネル内壁面の洗浄装置である。
【００１５】
続いて、請求項５に係る発明は、請求項１乃至請求項４の何れかに記載したトンネル内壁面の洗浄装置において、前記受水部は、揚水部の位置に向けて低くなる勾配を形成したことを特徴とするトンネル内壁面の洗浄装置である。
【００１６】
さらに、請求項６に係る発明は、請求項１乃至請求項５の何れかに記載したトンネル内壁面の洗浄装置において、前記受水部は、中央に対して両側端部が低くなる勾配を形成したことを特徴とするトンエル内壁面の洗浄装置である。
【００１７】
さらに、請求項７に係る発明は、請求項１乃至請求項５何れかに記載したトンネルの内壁面の洗浄装置において、前記受水部は、両端部のうち、一方の端部が低くなる勾配を形成したことを特徴とするトンネル内壁面の洗浄装置である。
【００１８】
そして、請求項８に係る発明は、請求項１乃至請求項７の何れかに記載したトンネル内壁面の洗浄装置において、前記濾過部は複数の濾材を相互に積層して成ることを特徴とするトンネル内壁面の洗浄装置である。
【発明の効果】
【００１９】
まず、請求項１に係る発明によれば、少人数の作業者により短い作業時間での洗浄ができ、洗浄後に生ずる汚水を回収して、前記洗浄に利用可能な洗浄装置を、安価に提供することが可能となるという効果を奏する。
【００２０】
次に、請求項２に係る発明によれば、汚水が貯水タンク内に投入されてから当該汚水を洗浄水として再度噴射する迄に時間差を設けているので、当該貯水タンクの深部に汚水内に含まれる浮遊物を沈殿させることが可能となる。即ち、当該沈殿物を該貯水タンクの外部へと排出することによって、前記貯水タンク内の汚水中の浮遊物の大半を除去することができるので、この浮遊物除去後の汚水を、再度洗浄に利用することが可能となるという効果を奏する。
【００２１】
また、請求項３に係る発明によれば、洗浄に際して受水部の側部とトンネル側壁とを密着させることが可能となるため、受水部の側部とトンネル側壁との間から汚水が流出してしまうことを防止できるという効果を奏する。
【００２２】
さらに、請求項４に係る発明によれば、噴射口の先端位置を進退自在とすることにより、該噴射口の先端が「トンネルの天井」やトンネル内部に設置された「構造物」と干渉する虞が生じた場合にも、該噴射口を引き込むことによってその干渉を防止することが可能となるという効果を奏する。
【００２３】
続いて、請求項５に係る発明によれば、受水部にて回収された汚水を揚水部付近へと集中させることができるので、タンク部への投入が容易となるという効果を奏する。
【００２４】
さらに、請求項６に係る発明によれば、受水部にて回収した水は、受水部の両側へ集中させることができるので、揚水部を両端部にのみに設置すれば、効率よく汚水を揚水することができるという効果を奏する。
【００２５】
さらに、請求項７に係る発明によれば、受水部にて回収した水は、片側に集中させることができるので、揚水部を片側にのみ設置すれば、効率よく汚水を揚水することができるという効果を奏する。
【００２６】
そして、請求項８に係る発明によれば、汚水に含まれる汚れの粒子の大きさに応じて段階的に除去できるため、濾過部によって効率よく汚水を濾過できるという効果を奏する。
【発明を実施するための最良の形態】
【００２７】
以下、本発明の好適な実施形態を好適な実施例を用いて説明する。
【実施例１】
【００２８】
図１乃至図６は、実施例１に係るトンネル内壁面の洗浄装置（以下、「洗浄装置」とする。）を示すものである。本実施例に係る洗浄装置は、図１又は図２に示すように、洗浄水を放出するための設備を備えるトレーラ１１０と、此を牽引すると共に洗浄水を供給するタンクローリ１００とからなるものである。前記タンクローリ１００側には、タンク部１０と複数の送水部２０とを設けたものであり、前記トレーラ１１０側には、台座部７０と噴射口３０と受水部４０と濾過部５０と揚水部６０とを設けたものである。以下、それぞれの構成について順次説明する。
【００２９】
最初にタンクローリ１００側の構成を説明する。図１又は図２に示すように、当該タンクローリ１００側には、上記の如くタンク部１０と複数の送水部２０とを有している。まずタンク部１０というのは洗浄水を貯蔵するものであって、後述する噴射装置に洗浄水を供給するものである。本実施例においては、このタンク部１０としての「3,000Ｌ容量の
貯水タンク」をトラックの荷台に搭載することによって構成している。
【００３０】
次に、送水部２０というのは、上記タンク部１０から供給された（吸引した）洗浄水を、トレーラ１１０側の噴射口３０（後述）へと高圧にて送出するものである。この送水部２０について、具体的には、エンジン又は電動モータによって駆動する高圧洗浄機を利用することが考えられる。この高圧洗浄機は比較的重量が重いため、図２に示すように、動力を有する牽引車（トラック）側に設置することが好適と考えられる。本実施例においては、前記トラック荷台の貯水タンクの上方にフレームを組み付け、其処へ「精和産業株式会社製 高圧洗浄機（JC-2014GP）」を１０台設置する構成を採っている。この送水部２０は、１つの噴射口３０につき１台ずつを宛った方が圧力損失が少ないので好適と考えられるため、後述の噴射ノズルの数量に対応する台数の高圧洗浄機を設置した。勿論、本発明は特段この構成に限定されるものではない。
【００３１】
続いて、トレーラ１１０側の構成を説明する。まず、図１又は図３に示すように、当該トレーラ１１０自体は低床構造とし、該トレーラ１１０の側部上面がトンネル内の路肩上面よりもやや低い位置となるよう構成している。このトレーラ１１０側には、上記の如く台座部７０と噴射口３０と受水部４０と濾過部５０と揚水部６０とを有している。
【００３２】
まず台座部７０というのは、図１乃至図３に示すように、洗浄水を噴射する複数の噴射口３０（後述）をトンネル壁面に向けて設置するためのものであり、前記トレーラ１１０の上側に前後方向に向けて摺動自在に設けてなるものである。本実施例では、高さ約5mのトンネルでの使用を想定しているので、4.5m前後の高さ寸法にて逆Ｕ字形状に構成したフレームを、全長20mのトレーラ１１０の上側に一端から他端にわたりスライド自在に設置している。かかる構成を採ることにより、前記トレーラ１１０の一端から他端に向けて当該フレームをスライドさせ乍ら（或いは、当該フレームを往復させ乍ら）、壁面に対し高圧にて洗浄水の噴射が可能となるため、トレーラ１１０の略全長分の距離にわたり、トンネル壁面の洗浄を一度に完了させることが可能となる。しかる後、トレーラ１１０をトンネルの長手方向（トンネルの縦断方向）に移動させて上記洗浄作業を繰り返し行うことにより、トンネルの全長にわたって洗浄を完了させることが可能となるのである。なお、トレーラーを長く設定すると、道路が狭くカーブの多いトンネルで使用した場合にカーブを曲がれなくなる可能性がある。この場合は、全長の短いトレーラを使用するとよい。日本のトンネルのカーブの形態を考慮すると７ｍ程度のトレーラを用いると日本国内のほとんどのトンネルに対応することができる。尚、フレームの高さ寸法や形状は、トンネルの高さや形状によって適宜設計を変更しても構わない。
【００３３】
前記フレームをスライドさせるためには、モータ等の動力を用いたり、或いは、作業者が手動でスライドさせるものとしてもよい。本実施例においては、動力源としてモータを採用すると共に、動力伝達手段として「チェーン及びスプロケット」を採用し、前記モータにおける出力軸の回転を前記チェーンを介して前記フレームに伝達し、トレーラ１１０の上側においてスライドさせるものとしている。尚、前記動力伝達手段としては、上記の他に「ウォームギアを用いたシャフト駆動」等の採用も考えられ、更には、油圧シリンダを用いて前記フレームをスライドさせるものとしてもよい。
【００３４】
なお、図３においては２車線分の幅を有するトレーラ１１０上に、トンネル両側壁面及び天井面を洗浄可能な「フレーム」（台座部７０）を設置した状態を示しているが、本発明は特段この構成に限定されるものではなく、例えば、図４に示す構成を採用してもよい。具体的には、１車線分の幅を有するトレーラ１１０上に、トンネル片側壁面及び天井面の一部のみを洗浄可能な「フレーム」（台座部７０）を設置し、当該フレームの上端には回動自在なフラップを設置して、当該フレーム上側からの洗浄水の飛散を防止可能とした構成である。この図４に示す構成によれば、通行規制が困難な場所にあるトンネルや迂回路が用意できない場所にあるトンネルであっても、洗浄作業を行う側の１車線のみを通行規制すれば足りるのである。
【００３５】
次に、噴射口３０というのは、図３に示すように、前記台座部７０に複数設置されるものであり、送水部２０から送り出された洗浄水をトンネル内壁面に対して噴射するものである。本実施例において、前記送水部２０と当該噴射口３０との間は「コイル状のホース」にて接続することにより、台座部７０のスライドに備えて伸縮自在としている。この噴射口３０は、前記フレームに対して進退自在に設けると一層好適である。即ち、当該噴射口３０の先端位置を進退自在とすることにより、該噴射口３０の先端が「トンネルの天井」やトンネル内部に設置された「構造物」と干渉する虞が生じた場合にも、該噴射口３０を引き込むことによってその干渉を防止することが可能となるのである。
【００３６】
尚、当該噴射口３０自体や該噴射口３０付近にセンサを設置することにより、当該センサが、トンネル内の構造物や内壁面に対する噴射口３０の干渉を予期した場合には、当該噴射口３０を引き込んで、前記構造物等との干渉を回避する構成を採用してもよい。
【００３７】
本実施例においては、トンネル内における路面部と路肩部を除いた、側壁面及び天井面からなる「弧」の寸法が10mの場合には、直径0.9mmの開口部にて直径1,000mmの範囲に洗浄水を噴射可能な噴射ノズルを、逆Ｕ字形状に構成した前記フレームに対してトンネル側壁及び天井に向けて１０本設置し、前記「弧」の全域にわたって洗浄水を噴射可能としている。即ち、噴射範囲が直径500mmのノズルであれば２０本設置することとなる。ここで、当該噴射口３０は、ノズル形状のものに限定されず、所謂「噴射チップ」を前記フレームに埋設した構成を採ってもよい。
【００３８】
また受水部４０というのは、前記トレーラ１１０の上側に設けられ、前記ノズルから壁面に噴射された洗浄水に汚れが混入してなる「汚水」を回収するものである。本実施例において当該受水部４０は、図１に示すように、前記トレーラ１１０の上面を受皿状にすると共に、揚水部６０（後述）の位置に向かって下降する勾配を付けて構成している。より具体的には、木製の合板パネルをトレーラ１１０上に傾斜させて配置すると共に、当該合板パネルの上側に防水シートを積層することによって構成している。勾配を形成することによって汚水が低い位置へと集中するため、揚水部６０（後述）による吸引が容易となるのである。
【００３９】
この受水部４０の集水方法も、適宜設計を変更して使用することができる。例えば、図７、図８及び図９に示すように、前記受水部４０をトレーラーの中心から両側に向かって低くなるように勾配をつけて構成すれば、汚水は両側に集中させることができる。かかる場合には、濾過部は、両側の水の溜まる場所にのみ設ければよく、また揚水部６０は、四隅にさえ設ければ十分に揚水することができる。このような構成をとれば、上り坂及び下り坂のいずれで洗浄した場合においても、上り坂の場合は後ろ側の揚水部６１を用い、下り坂の場合は前側の揚水部６２を用いることにより、受水部４０の水を確実に吸引することが可能となる。尚、別の観点から、中央を高くしておけば、道路の中央にある分離帯表示と受水部の底面とが接触するのを防止することもできるという効果も有する。
【００４０】
さらに、図１０に示すように、１車線分の幅を有するトレーラ１１０の場合には、一方のみを低く傾斜すれば、前後一つずつの揚水部を設けることで効果的な吸引が可能になる。
【００４１】
なお、当該受水部４０の側部に、トンネル側壁に対する密着及び解除を可能とするジャッキ部８０を設けると共に、当該ジャッキ部８０の上方には汚水を該受水部４０内へと流入させるシート９０を設けると更に好適である。即ち、トレーラ１１０とトンネル壁面との隙間から汚水が流出してしまうのを防止するのである。具体的には、図３に示すように、前記トレーラ１１０の側面にジャッキ部８０（ジャッキ機構）を設置し、当該ジャッキ部８０（ジャッキ機構）の上面にビニール製（或いはラバー製）のシート８０を配置し、当該シート上に落下した汚水を前記トレーラ１１０上側の受水部４０へと送出する構造の採用が考えられる。尚、上記ジャッキ部８０（ジャッキ機構）には、従来から用いられているパンタグラフ型のジャッキや油圧ジャッキ等を使用してもよく、更には、油圧シリンダを使用してもよい。
【００４２】
更に、トレーラ１１０の側方或いは前後端部に、トンネル壁面や路肩部と当接可能なローラを設けてもよい。かかる構成を採った場合には、トレーラ１１０がトンネルのコーナー（カーブ）を通過した際にも、当該トレーラ１１０とトンネル壁面（又は路肩部）との間隙を均一に維持することが可能となる。尚、当該ローラはトンネル壁面（路肩部）に対して進退自在に構成してもよい。即ち、前記トレーラ１１０がトンネル内を移動するときにのみ当該ローラを突出させ、洗浄作業中は該ローラを前記トレーラ１１０内に収納させるものとしてもよい。
【００４３】
濾過部５０というのは、前記トレーラ１１０における受水部４０上に設けられるものであり、受水部４０にて回収した汚水中に含まれる「コンクリート片」や「煤」或いは「油脂分」等を、当該汚水中から除去するものである。本発明に係る洗浄装置では、回収された汚水であっても壁面洗浄に再利用するため、汚水中に含まれる不純物を除去する必要があるからである。本実施例において当該濾過部５０は、図５に示すように、受水部４０を構成する合板パネル上側の防水シートに対し、「粗目」、「中目」及び「細目」の三層構造からなる濾材を積層している。かかる濾材を透過した汚水が前記揚水部６０によって吸引され、タンクローリ１００のタンク内へと投入されるのである。尚、このタンク内にも濾材を配置して、該タンク内においても汚水の濾過を行うものとしてもよい。
【００４４】
揚水部６０というのは、「洗浄水」又は洗浄を行った後に発生する「汚水」を吸引し、前記タンク部１０内へと投入するものである。具体的には、「水中ポンプ」を前記受水部４０の最も低い位置に設置することが考えられる。本実施例においては、勾配を形成した前記受水部４０における最も低い位置に水中ポンプの吸引口を設置し、当該ポンプの排出口を前記トラック側の貯水タンクへと接続して、洗浄水や汚水を吸引すること共に前記貯水タンク内へ投入可能としている。尚、この揚水部６０は特段上記構成に限定されるものではなく、例えば、タンクローリ１００にバキューム機構を設け、該バキューム機構によって汚水を吸引するものとしてもよい。
【００４５】
ここで、本発明に係る洗浄装置は、必要に応じて薬剤投入部を設けてもよい。この薬剤投入部というのは、酸度が上昇した汚水（洗浄水）の中和を行うための中和剤を投入したり、或いは、汚水中に含まれる浮遊物を速やかに沈殿させるための沈殿促進剤を投入するものである。即ち、洗浄を行う前の洗浄水はほぼ中性且つ浮遊物も含まれていないが、洗浄を行って生じた汚水には酸性物質が混入するため酸度が上昇し、「汚れ」に含まれる各種物質が汚水中に浮遊することとなる。本発明に係る洗浄装置は、回収した汚水も再度洗浄に利用することから、回収の過程において汚水の中和を行ったり、或いは、浮遊物の除去を行う必要がある。そのため、薬剤を任意に投入可能とする薬剤投入部を設けると好適である。具体的には図２に示すように、トレーラ１１０側の前記受水部４０の端部付近と中央付近に中和剤及び（又は）沈殿促進剤を漸次投入可能な薬剤投入部を設けることが考えられる。但し、斯様な構成を採るまでもなく、作業者によって薬剤をタンク内へと直接投入したり、或いは、タンクの上部に供給装置を設けて該供給装置により任意量の薬剤をタンク内へと投下する方が、より現実的な構成と考えられる。
【００４６】
なお、本実施例におけるトレーラ１１０の前端部と後端部には、トンネル壁面に密着して洗浄水が前方又は後方へ飛散することを防止する飛散防止幕を設けている。当該飛散防止幕は、図６に示すように、上部と下部とからなるものであり、上部は上方に向けて展開した状態を維持可能なビニールシートにて構成すると共に、下部は側方に向けて展開可能なビニールシートにて構成している。当該トレーラ１１０がトンネルの長手方向に移動する際には、前記上部については、飛散防止幕の上端をフック等により係止してトンネル天井面との密着状態を一時解除させると共に、前記下部については、飛散防止幕の両側を縮退させてトンネル壁面との密着状態を解除させる。
【実施例２】
【００４７】
続いて、実施例２に係る洗浄装置について説明する。本実施例に係る洗浄装置は、その構成の大半において上記実施例１と共通であるため、実施例１と異なる構成について特に説明し、共通にする構成はその説明を省略する。
【００４８】
図１１及び図１２は、実施例２に係る洗浄装置の一部を示すものである。本実施例では、トラック１００の荷台に1,000Ｌ容量の貯水タンクA乃至Dとして４基搭載している。実際の使用時には、貯水タンクAと貯水タンクBと貯水タンクCには洗浄水を充填する一方で、貯水タンクDは空にしておく。
【００４９】
トンネル壁面の洗浄を行う際には、まず、貯水タンクAから洗浄水を送水部２０へと供給すると共に、受水部４０に溜まった汚水を貯水タンクD内へと投入する。続いて、洗浄水が消尽して貯水タンクA内が空になったら、送水部の吸引ホースを差し替えて貯水タンクBから洗浄水を送水部２０へと供給すると共に、水中ポンプの排出口を貯水タンクA上に設置して受水部４０に溜まった汚水を前記貯水タンクA内へと投入する。更に、貯水タンクBが空になったら、貯水タンクCから洗浄水を送水部２０へと供給すると共に、受水部４０に溜まった汚水を前記貯水タンクB内へと投入する。
【００５０】
そして、貯水タンクCが空になったら、貯水タンクDから洗浄水を送水部２０へと供給する必要があるが、当該貯水タンクD内には既に汚水が投入されている。但し、貯水タンク内へ汚水を投入する際には、薬剤投入部によって当該汚水に「沈殿促進剤」を混入させている。本実施例においては、汚水が貯水タンク内に投入されてから当該汚水を洗浄水として再度噴射する迄に出来る限り時間差を設けているので、当該汚水内に含まれる浮遊物は当該貯水タンクの深部に沈殿することとなる。ここで、該貯水タンクの下部は「すり鉢状」に形成しており、その先端にはバルブを備えている。当該バルブを開くことにより、前記すり鉢状の先端に沈殿した「汚れ」が該貯水タンクの外部へと排出されることとなる。この沈殿物（汚れ）を別の容器に移し替えて回収することによって、前記貯水タンク内の汚水中の浮遊物の大半を除去することができ、この浮遊物除去後の汚水を、再度洗浄に利用することが可能となるのである。
【００５１】
なお、前記貯水タンクには、図１１において鎖線で示すように、当該タンクの内部に仕切板を設けて、タンク内へと投下される汚水を第一次的に当該仕切板へと落下させるものとしてもよい。即ち、仕切板を設けることによって汚水が自由落下する高さを低くするのである。かかる構成を採用した場合には、浮遊物が既に沈殿した汚水に対して新たに汚水が投下した場合にあっても、当該貯水タンク内における沈殿物の撹拌を抑えることが可能となるのである。
【００５２】
上記した各実施例に係るトンネル洗浄装置によれば、トンネル内壁における（地面を除く）全ての壁面に対して洗浄水を高圧で噴射することにより、当該壁面の表面に「排気ガス」や「塵埃」等が積層して付着してなる汚れを容易且つ速やかに除去することができる。即ち、高圧洗浄水によって「汚れの層」の下側にまで入り込み、此を剥離するのである。このように「汚れの層」を剥離することにより、壁面をコンクリート本来の地色（使用前の状態）にまで近づけることが可能となる。より具体的には、例えば社団法人日本塗料工業会が発行した『２００３年 Ｂ版 塗料用標準色見本帳』における色票で示すならば、コンクリート本来の地色が「色票番号：ＢＮ−９５」（純白）とした場合において、洗浄されること無く長期間の使用に供した壁面は「色票番号：ＢＮ−３０」（限りなく黒に近い灰色）であるが、本実施例に係る洗浄装置にて洗浄した壁面は「色票番号：ＢＮ−９０」（限りなく白に近い灰色）となり、洗浄前と洗浄後とでは、色彩の明度が著しく高くなっていることがわかる。トンネル内壁面の色彩の明度が高くなることによって、当該トンネル内に設置された照明器具から発せられる光が前記壁面に吸収されることなく反射するためにトンネル内の照明効率が向上し、ひいては、視界不良を原因とする交通事故の発生を未然に防止することが可能となるのである。
【００５３】
なお、上記洗浄を行った後には、トンネル内壁面にクリア塗装を施すことによって、当該内壁のコンクリート表面の微細な凹凸を埋めて平滑にし、以後の汚れ付着の防止、或いは、以後の洗浄を容易なものとすることが可能となる点を付言する。
【００５４】
また、上記した各実施例に係る洗浄装置の台座部７０としてのフレームには、噴射ノズルがトンネルの天井面及び両壁面に向けて放射状に設置しているため、１人又は２人のオペレータの操作によって、トンネルの天井面及び両壁面に対して同時に高圧の洗浄水を噴射することが可能となる。即ち、本実施例に係る洗浄装置によれば、少人数の作業者によって長い距離にわたり効率的に内壁面の洗浄を行うことが可能となるのである。
【００５５】
さらに、上記した各実施例に係る洗浄装置によりトンネル内壁面に対して洗浄水を噴射した際には、トレーラ１１０上側の受水部４０にて汚水を回収することができ、周囲環境への汚水流出を最小限に抑えることが可能となる。
【００５６】
なお、本発明に係る洗浄装置は、施工現場において短時間での組み立て及び分解が可能となるよう構成すること一層好適である。即ち、施工現場に至るまでは分割された部品として搬入し、当該施工現場において組み立てて、トンネルの洗浄作業を行うのである。
【００５７】
なお、上記各実施例においては、タンクローリ１００部とトレーラ１１０部とに分けて構成したが、本発明は特段上記構成に限定されるものではなく、タンクローリ１００側にフレーム部や受水部４０等々の機材を設置して、これによってトンネル内壁面の洗浄を可能とする場合も、本発明の技術的思想に含まれるものである。
【産業上の利用可能性】
【００５８】
本発明の用途は洗浄の分野に限定されることなく、例えば、洗浄水に代えて塗料を噴射することが可能であり、かかる場合には、トンネル内壁面の塗装を容易且つ効率的に行うことが可能となる。
【図面の簡単な説明】
【００５９】
【図１】実施例１に係るトンネル洗浄装置の側方を示す図である。
【図２】図１に示すトンネル洗浄装置を上方から示す図である。
【図３】図１に示すトンネル洗浄装置を後方から示す図である。
【図４】１車線分の幅を有するトンネル洗浄装置を後方から示す図である。
【図５】図１に示すトレーラ１１０の断面を示す図である。
【図６】図１に示すトンネル洗浄装置に飛散防止幕を設置した状態を後方から示す図    である。
【図７】受水部の傾斜状態の別の応用例を示す斜視図である。
【図８】受水部の傾斜状態の別の応用例を後方から示す図である。
【図９】１車線分の幅を有するトンネル洗浄装置の受水部の傾斜状態を示す図である。
【図１０】１車線分の幅を有するトンネル洗浄装置の受水部の傾斜状態の別の実施例を示す図である。
【図１１】実施例２に係るトンネル洗浄装置の一部分の側方を示す図である。
【図１２】図７に示すトンネル洗浄装置を上方から示す図である。
【符号の説明】
【００６０】
１０    タンク部
２０    送水部
３０    ノズル部
４０    受水部
５０    濾過部
６０    揚水部
７０    台座部
８０    ジャッキ部
９０    シート
１００    タンクローリ
１１０    トレーラ
【図１】
2005334853.tif 000003
【図２】
2005334853.tif 000004
【図３】
2005334853.tif 000005
【図４】
2005334853.tif 000006
【図５】
2005334853.tif 000007
【図６】
2005334853.tif 000008
【図７】
2005334853.tif 000009
【図８】
2005334853.tif 000010
【図９】
2005334853.tif 000011
【図１０】
2005334853.tif 000012
【図１１】
2005334853.tif 000013
【図１２】
2005334853.tif 000014
【手続補正書】
【提出日】平成17年4月15日(2005.4.15)
【手続補正１】
【補正対象書類名】特許請求の範囲
【補正対象項目名】全文
【補正方法】変更
【補正の内容】
【特許請求の範囲】
【請求項１】
車両に積載され、洗浄水を噴射することにより壁面の洗浄を行うトンネル内壁面の洗浄装置であって、
洗浄水を噴射する噴射口と、
前記洗浄水を貯水するタンク部と、
当該タンク部から洗浄水を吸引して、前記噴射口から前記洗浄水を高圧噴射する送水部と、
前記噴射口から壁面に向けて噴射されて生じた汚水を回収する受水部と、
当該受水部によって回収された汚水を吸引し前記タンク部内へ投入する揚水部と、
前記受水部の上側にトンネルの長手方向に向けて摺動自在に設けられて、前記噴射口が前記壁面に向けて設置される台座部とを有し、
前記タンク部は複数の貯水タンクからなり、１の貯水タンクを除く他の貯水タンクには洗浄水を充填して、当該他の貯水タンクから洗浄水を前記送水部へと供給すると共に、前記受水部に溜まった汚水を前記１の貯水タンク内へと投入して、前記他の貯水タンク内の洗浄水が消尽した後には、前記１の貯水タンク内に投入されて浄化処理がなされた汚水を送水部へと供給することを特徴とするトンネル内壁面の洗浄装置。
【請求項２】
車両に積載され、洗浄水を噴射することにより壁面の洗浄を行うトンネル内壁面の洗浄装置であって、
洗浄水を噴射する噴射口と、
前記洗浄水を貯水するタンク部と、
当該タンク部から洗浄水を吸引して、前記噴射口から前記洗浄水を高圧噴射する送水部と、
前記噴射口から壁面に向けて噴射されて生じた汚水を回収する受水部と、
当該受水部に設けられて前記汚水から不純物を分離する濾過部と、
当該濾過部によって不純物を分離した汚水を吸引し前記タンク部内へ投入する揚水部と、
前記受水部の上側にトンネルの長手方向に向けて摺動自在に設けられて、前記噴射口が前記壁面に向けて設置される台座部とを有し、
前記タンク部は複数の貯水タンクからなり、１の貯水タンクを除く他の貯水タンクには洗浄水を充填して、当該他の貯水タンクから洗浄水を前記送水部へと供給すると共に、前記受水部に溜まった汚水を前記１の貯水タンク内へと投入して、前記他の貯水タンク内の洗浄水が消尽した後には、前記１の貯水タンク内に投入されて浄化処理がなされた汚水を送水部へと供給することを特徴とするトンネル内壁面の洗浄装置。
【請求項３】
請求項１又は請求項２に記載したトンネル内壁面の洗浄装置において、
前記受水部の側部には、トンネル側壁に対する密着及び解除を可能とするジャッキ部を設けると共に、当該ジャッキ部の上方には汚水を前記受水部内へと流入させるシートを設けたことを特徴とするトンネル内壁面の洗浄装置。
【請求項４】
請求項１乃至請求項３の何れかに記載したトンネル内壁面の洗浄装置において、
前記噴射口は、台座部に対して進退自在に設けたことを特徴とするトンネル内壁面の洗浄装置。
【請求項５】
請求項１乃至請求項４の何れかに記載したトンネル内壁面の洗浄装置において、
前記受水部は、揚水部の位置に向けて低くなる勾配を形成したことを特徴とするトンネル内壁面の洗浄装置。
【請求項６】
請求項１乃至請求項５の何れかに記載したトンネル内壁面の洗浄装置において、
前記受水部は、中央に対して両側端部が低くなる勾配を形成したことを特徴とするトンネル内壁面の洗浄装置。
【請求項７】
請求項１乃至請求項５の何れかに記載したトンネルの内壁面の洗浄装置において、
前記受水部は、両端部のうち、一方の端部が低くなる勾配を形成したことを特徴とするトンネル内壁面の洗浄装置。
【請求項８】
請求項２乃至請求項７の何れかに記載したトンネル内壁面の洗浄装置において、
前記濾過部は複数の濾材を相互に積層して成ることを特徴とするトンネル内壁面の洗浄装置。
【手続補正２】
【補正対象書類名】明細書
【補正対象項目名】００１１
【補正方法】変更
【補正の内容】
【００１１】
まず、請求項１に係る発明は、車両に積載され、洗浄水を噴射することにより壁面の洗浄を行うトンネル内壁面の洗浄装置であって、洗浄水を噴射する噴射口と、前記洗浄水を貯水するタンク部と、当該タンク部から洗浄水を吸引して、前記噴射口から前記洗浄水を高圧噴射する送水部と、前記噴射口から壁面に向けて噴射されて生じた汚水を回収する受水部と、当該受水部によって回収された汚水を吸引し前記タンク部内へ投入する揚水部と、前記受水部の上側にトンネルの長手方向に向けて摺動自在に設けられて、前記噴射口が前記壁面に向けて設置される台座部とを有し、前記タンク部は複数の貯水タンクからなり、１の貯水タンクを除く他の貯水タンクには洗浄水を充填して、当該他の貯水タンクから洗浄水を前記送水部へと供給すると共に、前記受水部に溜まった汚水を前記１の貯水タンク内へと投入して、前記他の貯水タンク内の洗浄水が消尽した後には、前記１の貯水タンク内に投入されて浄化処理がなされた汚水を送水部へと供給することを特徴とするトンネル内壁面の洗浄装置である。
【手続補正３】
【補正対象書類名】明細書
【補正対象項目名】００１２
【補正方法】変更
【補正の内容】
【００１２】
次に、請求項２に係る発明は、車両に積載され、洗浄水を噴射することにより壁面の洗浄を行うトンネル内壁面の洗浄装置であって、洗浄水を噴射する噴射口と、前記洗浄水を貯水するタンク部と、当該タンク部から洗浄水を吸引して、前記噴射口から前記洗浄水を高圧噴射する送水部と、前記噴射口から壁面に向けて噴射されて生じた汚水を回収する受水部と、当該受水部に設けられて前記汚水から不純物を分離する濾過部と、当該濾過部によって不純物を分離した汚水を吸引し前記タンク部内へ投入する揚水部と、前記受水部の上側にトンネルの長手方向に向けて摺動自在に設けられて、前記噴射口が前記壁面に向けて設置される台座部とを有し、前記タンク部は複数の貯水タンクからなり、１の貯水タンクを除く他の貯水タンクには洗浄水を充填して、当該他の貯水タンクから洗浄水を前記送水部へと供給すると共に、前記受水部に溜まった汚水を前記１の貯水タンク内へと投入して、前記他の貯水タンク内の洗浄水が消尽した後には、前記１の貯水タンク内に投入されて浄化処理がなされた汚水を送水部へと供給することを特徴とするトンネル内壁面の洗浄装置である。
【手続補正４】
【補正対象書類名】明細書
【補正対象項目名】００１６
【補正方法】変更
【補正の内容】
【００１６】
さらに、請求項６に係る発明は、請求項１乃至請求項５の何れかに記載したトンネル内壁面の洗浄装置において、前記受水部は、中央に対して両側端部が低くなる勾配を形成したことを特徴とするトンネル内壁面の洗浄装置である。
【手続補正５】
【補正対象書類名】明細書
【補正対象項目名】００１８
【補正方法】変更
【補正の内容】
【００１８】
そして、請求項８に係る発明は、請求項２乃至請求項７の何れかに記載したトンネル内壁面の洗浄装置において、前記濾過部は複数の濾材を相互に積層して成ることを特徴とするトンネル内壁面の洗浄装置である。
【手続補正６】
【補正対象書類名】明細書
【補正対象項目名】００１９
【補正方法】変更
【補正の内容】
【００１９】
まず、請求項１に係る発明によれば、少人数の作業者により短い作業時間での洗浄ができ、洗浄後に生ずる汚水を回収して、前記洗浄に利用可能な洗浄装置を、安価に提供することが可能となるという効果を奏する。また、汚水が貯水タンク内に投入されてから当該汚水を洗浄水として再度噴射する迄に時間差を設けているので、当該貯水タンクの深部に汚水内に含まれる浮遊物を沈殿させることが可能となる。即ち、当該沈殿物を該貯水タンクの外部へと排出することによって、前記貯水タンク内の汚水中の浮遊物の大半を除去することができるので、この浮遊物除去後の汚水を、再度洗浄に利用することが可能となるという効果を奏する。
【手続補正７】
【補正対象書類名】明細書
【補正対象項目名】００２０
【補正方法】変更
【補正の内容】
【００２０】
次に、請求項２に係る発明によれば、少人数の作業者により短い作業時間での洗浄ができ、洗浄後に生ずる汚水を回収して、前記洗浄に利用可能な洗浄装置を、安価に提供することが可能となるという効果を奏する。また、汚水が貯水タンク内に投入されてから当該汚水を洗浄水として再度噴射する迄に時間差を設けているので、当該貯水タンクの深部に汚水内に含まれる浮遊物を沈殿させることが可能となる。即ち、当該沈殿物を該貯水タンクの外部へと排出することによって、前記貯水タンク内の汚水中の浮遊物の大半を除去することができるので、この浮遊物除去後の汚水を、再度洗浄に利用することが可能となるという効果を奏する。
【手続補正書】
【提出日】平成17年6月28日(2005.6.28)
【手続補正１】
【補正対象書類名】特許請求の範囲
【補正対象項目名】全文
【補正方法】変更
【補正の内容】
【特許請求の範囲】
【請求項１】
車両に積載され、洗浄水を噴射することにより壁面の洗浄を行うトンネル内壁面の洗浄装置であって、
洗浄水を噴射する噴射口と、
前記洗浄水を貯水するタンク部と、
当該タンク部から洗浄水を吸引して、前記噴射口から前記洗浄水を高圧噴射する送水部と、
前記噴射口から壁面に向けて噴射されて生じた汚水を回収する受水部と、
当該受水部によって回収された汚水を吸引し前記タンク部内へ投入する揚水部と、
前記受水部の上側にトンネルの長手方向に向けて摺動自在に設けられて、前記噴射口が前記壁面に向けて設置される台座部とを有し、
前記タンク部はそれぞれ独立した複数の貯水タンクからなり、第３の貯水タンクを除く第１及び第２の貯水タンクには洗浄水を充填して、
第１の貯水タンクから洗浄水を前記送水部へと供給すると共に、前記受水部に溜まった汚水を第３の貯水タンク内へと投入して、汚水に含まれる浮遊物を当該第３の貯水タンクの深部に沈殿させ、
前記第１の貯水タンク内の洗浄水が消尽した後には、第２の貯水タンクから洗浄水を前記送水部へと供給すると共に、前記受水部に溜まった汚水を前記第１の貯水タンク内へと投入して、汚水に含まれる浮遊物を当該第１の貯水タンクの深部に沈殿させ、
前記第２の貯水タンク内の洗浄水が消尽した後には、前記第３の貯水タンクにおいて汚水中の浮遊物を沈殿させて再生した洗浄水を前記送水部へと供給すると共に、前記受水部に溜まった汚水を前記第２の貯水タンク内へと投入して、汚水に含まれる浮遊物を当該第２の貯水タンクの深部に沈殿させることを特徴とするトンネル内壁面の洗浄装置。
【請求項２】
車両に積載され、洗浄水を噴射することにより壁面の洗浄を行うトンネル内壁面の洗浄装置であって、
洗浄水を噴射する噴射口と、
前記洗浄水を貯水するタンク部と、
当該タンク部から洗浄水を吸引して、前記噴射口から前記洗浄水を高圧噴射する送水部と、
前記噴射口から壁面に向けて噴射されて生じた汚水を回収する受水部と、
当該受水部に設けられて前記汚水から不純物を分離する濾過部と、
当該濾過部によって不純物を分離した汚水を吸引し前記タンク部内へ投入する揚水部と、
前記受水部の上側にトンネルの長手方向に向けて摺動自在に設けられて、前記噴射口が前記壁面に向けて設置される台座部とを有し、
前記タンク部はそれぞれ独立した複数の貯水タンクからなり、第３の貯水タンクを除く第１及び第２の貯水タンクには洗浄水を充填して、
第１の貯水タンクから洗浄水を前記送水部へと供給すると共に、前記受水部に溜まった汚水を第３の貯水タンク内へと投入して、汚水に含まれる浮遊物を当該第３の貯水タンクの深部に沈殿させ、
前記第１の貯水タンク内の洗浄水が消尽した後には、第２の貯水タンクから洗浄水を前記送水部へと供給すると共に、前記受水部に溜まった汚水を前記第１の貯水タンク内へと投入して、汚水に含まれる浮遊物を当該第１の貯水タンクの深部に沈殿させ、
前記第２の貯水タンク内の洗浄水が消尽した後には、前記第３の貯水タンクにおいて汚水中の浮遊物を沈殿させて再生した洗浄水を前記送水部へと供給すると共に、前記受水部に溜まった汚水を前記第２の貯水タンク内へと投入して、汚水に含まれる浮遊物を当該第２の貯水タンクの深部に沈殿させることを特徴とするトンネル内壁面の洗浄装置。
【請求項３】
請求項１又は請求項２に記載したトンネル内壁面の洗浄装置において、
前記受水部の側部には、トンネル側壁に対する密着及び解除を可能とするジャッキ部を設けると共に、当該ジャッキ部の上方には汚水を前記受水部内へと流入させるシートを設けたことを特徴とするトンネル内壁面の洗浄装置。
【請求項４】
請求項１乃至請求項３の何れかに記載したトンネル内壁面の洗浄装置において、
前記噴射口は、台座部に対して進退自在に設けたことを特徴とするトンネル内壁面の洗浄装置。
【請求項５】
請求項１乃至請求項４の何れかに記載したトンネル内壁面の洗浄装置において、
前記受水部は、揚水部の位置に向けて低くなる勾配を形成したことを特徴とするトンネル内壁面の洗浄装置。
【請求項６】
請求項１乃至請求項５の何れかに記載したトンネル内壁面の洗浄装置において、
前記受水部は、中央に対して両側端部が低くなる勾配を形成したことを特徴とするトンネル内壁面の洗浄装置。
【請求項７】
請求項１乃至請求項５の何れかに記載したトンネルの内壁面の洗浄装置において、
前記受水部は、両端部のうち、一方の端部が低くなる勾配を形成したことを特徴とするトンネル内壁面の洗浄装置。
【請求項８】
請求項２乃至請求項７の何れかに記載したトンネル内壁面の洗浄装置において、
前記濾過部は複数の濾材を相互に積層して成ることを特徴とするトンネル内壁面の洗浄装置。
【手続補正２】
【補正対象書類名】明細書
【補正対象項目名】００１１
【補正方法】変更
【補正の内容】
【００１１】
まず、請求項１に係る発明は、車両に積載され、洗浄水を噴射することにより壁面の洗浄を行うトンネル内壁面の洗浄装置であって、洗浄水を噴射する噴射口と、前記洗浄水を貯水するタンク部と、当該タンク部から洗浄水を吸引して、前記噴射口から前記洗浄水を高圧噴射する送水部と、前記噴射口から壁面に向けて噴射されて生じた汚水を回収する受水部と、当該受水部によって回収された汚水を吸引し前記タンク部内へ投入する揚水部と、前記受水部の上側にトンネルの長手方向に向けて摺動自在に設けられて、前記噴射口が前記壁面に向けて設置される台座部とを有し、前記タンク部はそれぞれ独立した複数の貯水タンクからなり、第３の貯水タンクを除く第１及び第２の貯水タンクには洗浄水を充填して、第１の貯水タンクから洗浄水を前記送水部へと供給すると共に、前記受水部に溜まった汚水を第３の貯水タンク内へと投入して、汚水に含まれる浮遊物を当該第３の貯水タンクの深部に沈殿させ、前記第１の貯水タンク内の洗浄水が消尽した後には、第２の貯水タンクから洗浄水を前記送水部へと供給すると共に、前記受水部に溜まった汚水を前記第１の貯水タンク内へと投入して、汚水に含まれる浮遊物を当該第１の貯水タンクの深部に沈殿させ、前記第２の貯水タンク内の洗浄水が消尽した後には、前記第３の貯水タンクにおいて汚水中の浮遊物を沈殿させて再生した洗浄水を前記送水部へと供給すると共に、前記受水部に溜まった汚水を前記第２の貯水タンク内へと投入して、汚水に含まれる浮遊物を当該第２の貯水タンクの深部に沈殿させることを特徴とするトンネル内壁面の洗浄装置である。
【手続補正３】
【補正対象書類名】明細書
【補正対象項目名】００１２
【補正方法】変更
【補正の内容】
【００１２】
次に、請求項２に係る発明は、車両に積載され、洗浄水を噴射することにより壁面の洗浄を行うトンネル内壁面の洗浄装置であって、洗浄水を噴射する噴射口と、前記洗浄水を貯水するタンク部と、当該タンク部から洗浄水を吸引して、前記噴射口から前記洗浄水を高圧噴射する送水部と、前記噴射口から壁面に向けて噴射されて生じた汚水を回収する受水部と、当該受水部に設けられて前記汚水から不純物を分離する濾過部と、当該濾過部によって不純物を分離した汚水を吸引し前記タンク部内へ投入する揚水部と、前記受水部の上側にトンネルの長手方向に向けて摺動自在に設けられて、前記噴射口が前記壁面に向けて設置される台座部とを有し、前記タンク部はそれぞれ独立した複数の貯水タンクからなり、第３の貯水タンクを除く第１及び第２の貯水タンクには洗浄水を充填して、第１の貯水タンクから洗浄水を前記送水部へと供給すると共に、前記受水部に溜まった汚水を第３の貯水タンク内へと投入して、汚水に含まれる浮遊物を当該第３の貯水タンクの深部に沈殿させ、前記第１の貯水タンク内の洗浄水が消尽した後には、第２の貯水タンクから洗浄水を前記送水部へと供給すると共に、前記受水部に溜まった汚水を前記第１の貯水タンク内へと投入して、汚水に含まれる浮遊物を当該第１の貯水タンクの深部に沈殿させ、前記第２の貯水タンク内の洗浄水が消尽した後には、前記第３の貯水タンクにおいて汚水中の浮遊物を沈殿させて再生した洗浄水を前記送水部へと供給すると共に、前記受水部に溜まった汚水を前記第２の貯水タンク内へと投入して、汚水に含まれる浮遊物を当該第２の貯水タンクの深部に沈殿させることを特徴とするトンネル内壁面の洗浄装置である。